(57)【要約】【課題】コンパクトに折畳んで小スペースに保管でき、さらに、使用者への身体的・精神的負担の少ない新陳代謝促進ベッドを提供する。【解決手段】  相互に折畳み自在な前方ベッド体１Ａと後方ベッド体１Ｂとを有するベッド本体１と、水平展開状態のベッド本体１の上方及び左右側方を被覆状として側面視山型状に展開するカバー部材62と、水平展開状態のベッド本体１とカバー部材に囲まれた包囲空間Ｋにベッド本体１の後端近傍から前方に向かってミストＭを吐出するミスト発生器３と、後方ベッド体１Ｂを水平軸心廻りに揺動自在に支持する支柱部材２と、支柱部材２を前方に引出し自在に収納すると共に非展開状態のカバー部材62を収容可能な収納空間を有する前方開口状のケーシング５と、を備え、ケーシング５に支柱部材２が収納された状態において、折畳み状態のベッド本体１の後方ベッド体１Ｂが収納空間に収容されると共に折畳み状態のベッド本体１の前方ベッド体１Ａがケーシング５の前方開口部を施蓋するように構成した。【選択図】図９
2011218009.tif 000002
【特許請求の範囲】
【請求項１】
相互に折畳み自在な前方ベッド体（１Ａ）と後方ベッド体（１Ｂ）とを有するベッド本体（１）と、水平展開状態の上記ベッド本体（１）の上方及び左右側方を被覆状として側面視山型状に展開するカバー部材（62）と、水平展開状態の上記ベッド本体（１）と上記カバー部材（62）に囲まれた包囲空間（Ｋ）に上記ベッド本体（１）の後端近傍から前方に向かってミスト（Ｍ）を吐出するミスト発生器（３）と、上記後方ベッド体（１Ｂ）を水平軸心（Ｌ１）廻りに揺動自在に支持する支柱部材（２）と、上記支柱部材（２）を前方に引出し自在に収納すると共に非展開状態の上記カバー部材（62）を収容可能な収納空間（50）を有する前方開口状のケーシング（５）と、を備え、
上記ケーシング（５）に上記支柱部材（２）が収納された状態において、折畳み状態の上記ベッド本体（１）の上記後方ベッド体（１Ｂ）が上記収納空間（50）に収容されると共に折畳み状態の上記ベッド本体（１）の上記前方ベッド体（１Ａ）が上記ケーシング（５）の前方開口部（51）を施蓋するように構成したことを特徴とする新陳代謝促進ベッド。
【請求項２】
相互に折畳み自在な前方ベッド体（１Ａ）と後方ベッド体（１Ｂ）とを有するベッド本体（１）と、水平展開状態の上記ベッド本体（１）の上方及び左右側方を被覆状として側面視前方下傾状又は側面視山型状に展開するカバー部材（62）と、水平展開状態の上記ベッド本体（１）と上記カバー部材（62）に囲まれた包囲空間（Ｋ）に上記ベッド本体（１）の後端近傍から前方に向かってミスト（Ｍ）を吐出するミスト発生器（３）と、上記後方ベッド体（１Ｂ）を水平軸心（Ｌ１）廻りに揺動自在に支持する支柱部材（２）と、上記支柱部材（２）を前方に引出し自在に収納する前方開口状のケーシング本体（５Ａ）及び上下方向に揺動して該ケーシング本体（５Ａ）を施蓋可能なケーシング蓋体（５Ｂ）から成るケーシング（５）と、を備え、
上記ケーシング本体（５Ａ）に上記支柱部材（２）が収納されると共に上記ケーシング蓋体（５Ｂ）が上記ケーシング本体（５Ａ）を施蓋した状態において、
折畳み状態の上記前方ベッド体（１Ａ）及び上記後方ベッド体（１Ｂ）と、非展開状態の上記カバー部材（62）とが、上記ケーシング（５）の内部に収容されるように構成したことを特徴とする新陳代謝促進ベッド。
【請求項３】
上記カバー部材（62）を、複数の管状体（61ａ）（61ｂ）（61ｃ）を有する伸縮自在な釣竿状の左右一対のガイド用骨組部材（61）（61）に、スライド自在に取着した請求項１又は２記載の新陳代謝促進ベッド。
【請求項４】
上記ベッド本体（１）は、上方開口部（11ａ）を有する平底船状の殻体（11）と、上記上方開口部（11ａ）に設けられて上記ミスト（Ｍ）が透過自在な床部材（10）と、を備え、該床部材（10）の裏面（10ｂ）側には、偏平空間（12）が形成され、
上記ベッド本体（１）の水平展開状態において、上記ミスト（Ｍ）を上記包囲空間（Ｋ）内へ斜上前方に向かって吐出する第１噴霧口（31）と、上記ミスト（Ｍ）を上記偏平空間（12）内へ前方略水平方向に向かって吐出する第２噴霧口（32）と、を設けた請求項１，２又は３記載の新陳代謝促進ベッド。
【請求項５】
上記第２噴霧口（32）からの上記ミスト（Ｍ）が上記床部材（10）を透過して上記包囲空間（Ｋ）へ流れるのを防止する遮断膜（７）を設けて予備加熱を行うように構成すると共に、上記遮断膜（７）を上記床部材（10）の上記裏面（10ｂ）側から分離下降させて上記殻体（11）の底面（11ｂ）側へ退避させ上記第２噴霧口（32）からの上記ミスト（Ｍ）を上記床部材（10）を透過して上記包囲空間（Ｋ）へ流入させて本加熱を行うように構成した請求項４記載の新陳代謝促進ベッド。
【発明の詳細な説明】
【技術分野】
【０００１】
本発明は、新陳代謝促進ベッドに関する。
【背景技術】
【０００２】
従来、使用者を、横臥状態にさせたままの状態でシャワーを浴びせて、体を温めて血行を良くしたり、発汗を促して、新陳代謝を促進させるシャワー付のベッドが知られている（例えば、特許文献１参照）。
【先行技術文献】
【特許文献】
【０００３】
【特許文献１】特開平９−２５３１５０号公報
【発明の概要】
【発明が解決しようとする課題】
【０００４】
しかし、従来のベッドは、装置が複雑なため大型となり不使用時の保管場所に広いスペースが必要という問題があった。また、大量の温水が必要となると共に水しぶきが発生するため、設置場所が限定されてしまうという問題があった。
また、使用者が身体弱者や要介護者である場合は、シャワーからの噴水が寝ダコや床擦れ部に直接的当たることがあり、身体的負担となる場合やストレスを与えてしまうという問題もあった。
【０００５】
そこで、本発明は、コンパクトに折畳んで小スペースに保管でき、さらに、使用者への身体的・精神的負担の少ない新陳代謝促進ベッドの提供を目的とする。
【課題を解決するための手段】
【０００６】
上記目的を達成するために、本発明の新陳代謝促進ベッドは、相互に折畳み自在な前方ベッド体と後方ベッド体とを有するベッド本体と、水平展開状態の上記ベッド本体の上方及び左右側方を被覆状として側面視山型状に展開するカバー部材と、水平展開状態の上記ベッド本体と上記カバー部材に囲まれた包囲空間に上記ベッド本体の後端近傍から前方に向かってミストを吐出するミスト発生器と、上記後方ベッド体を水平軸心廻りに揺動自在に支持する支柱部材と、上記支柱部材を前方に引出し自在に収納すると共に非展開状態の上記カバー部材を収容可能な収納空間を有する前方開口状のケーシングと、を備え、上記ケーシングに上記支柱部材が収納された状態において、折畳み状態の上記ベッド本体の上記後方ベッド体が上記収納空間に収容されると共に折畳み状態の上記ベッド本体の上記前方ベッド体が上記ケーシング本体の前方開口部を施蓋するように構成したものである。
【０００７】
また、相互に折畳み自在な前方ベッド体と後方ベッド体とを有するベッド本体と、水平展開状態の上記ベッド本体の上方及び左右側方を被覆状として側面視前方下傾状又は側面視山型状に展開するカバー部材と、水平展開状態の上記ベッド本体と上記カバー部材に囲まれた包囲空間に上記ベッド本体の後端近傍から前方に向かってミストを吐出するミスト発生器と、上記後方ベッド体を水平軸心廻りに揺動自在に支持する支柱部材と、上記支柱部材を前方に引出し自在に収納する前方開口状のケーシング本体及び上下方向に揺動して該ケーシング本体を施蓋可能なケーシング蓋体から成るケーシングと、を備え、上記ケーシング本体に上記支柱部材が収納されると共に上記ケーシング蓋体が上記ケーシング本体を施蓋した状態において、折畳み状態の上記前方ベッド体及び上記後方ベッド体と、非展開状態の上記カバー部材とが、上記ケーシングの内部に収容されるように構成したものである。
【０００８】
また、上記カバー部材を、複数の管状体を有する伸縮自在な釣竿状の左右一対のガイド用骨組部材に、スライド自在に取着したものである。
【０００９】
また、上記ベッド本体は、上方開口部を有する平底船状の殻体と、上記上方開口部に設けられて上記ミストが透過自在な床部材と、を備え、該床部材の裏面側には、偏平空間が形成され、上記ベッド本体の水平展開状態において、上記ミストを上記包囲空間内へ斜上前方に向かって吐出する第１噴霧口と、上記ミストを上記偏平空間内へ前方略水平方向に向かって吐出する第２噴霧口と、を設けたものである。
【００１０】
また、上記第２噴霧口からの上記ミストが上記床部材を透過して上記包囲空間へ流れるのを防止する遮断膜を設けて予備加熱を行うように構成すると共に、上記遮断膜を上記床部材の上記裏面側から分離下降させて上記殻体の底面側へ退避させ上記第２噴霧口からの上記ミストを上記床部材を透過して上記包囲空間へ流入させて本加熱を行うように構成したものである。
【発明の効果】
【００１１】
本発明の新陳代謝促進ベッドによれば、ベッド本体を折畳んで、コンパクトな形状として小スペースに保管することができる。大量の温水が必要なく、水しぶきが発生しないので、設置場所が限定されずに使用できる。ミストによって使用者の新陳代謝を促進できる。シャワーや浴槽に比べて身体に水圧がかからず、使用者の身体的負担やストレス（精神的負担）を軽減できる。特に、身体弱者、要介護者や要支援者の新陳代謝を促進させるのに好適である。
【図面の簡単な説明】
【００１２】
【図１】本発明の新陳代謝促進ベッドの第１実施形態の収納状態を示す側面図である。
【図２】収納状態の斜視図である。
【図３】ベッド本体の展開途中状態の側面図である。
【図４】ベッド本体の水平展開状態の側面図である。
【図５】ベッド本体の水平展開状態の斜視図である。
【図６】カバー部材の展開途中状態の側面図である。
【図７】カバー部材の展開途中状態の斜視図である。
【図８】カバー部材の展開状態の斜視図である。
【図９】予備加熱状態の要部断面側面図である。
【図１０】本加熱状態の要部断面側面図である。
【図１１】図９のＡ−Ａ断面図である。
【図１２】図10のＢ−Ｂ断面図である。
【図１３】作用説明図である。
【図１４】骨組部材の説明図である。
【図１５】第２実施形態の収納状態を示す側面図である。
【図１６】第２実施形態の使用状態を示す要部断面側面図である。
【図１７】第２実施形態の変形例の使用状態を示す要部断面側面図である。
【図１８】第２実施形態の他の変形例の使用状態を示す要部断面側面図である。
【発明を実施するための形態】
【００１３】
以下、図示の実施形態に基づき本発明を詳説する。
図１乃至図12に示す第１実施形態に於て、本発明の新陳代謝促進ベッドは、相互に折畳み自在な前方ベッド体１Ａと後方ベッド体１Ｂとを有するベッド本体１と、後方ベッド体１Ｂを水平軸心Ｌ１廻りに揺動自在に支持する支柱部材２と、ミストＭを吐出するミスト発生器３と、ミスト発生器３を内蔵する前方開口状のケーシング５と、を備えている。
【００１４】
ベッド本体１は、Ｖ字状の折畳み状態から水平状の展開状態に展開するように、前方ベッド体１Ａと後方ベッド体１Ｂとを水平状の枢着軸心Ｌ２廻りに揺動自在に枢着している。
前方ベッド体１Ａは、裏面18側に、引出し用の取手16と、水平状となった前方ベッド体１Ａを下方から支持するための折り畳み自在な複数の脚部材17，17と、を有している。また、折畳み状態で床面に接地する左右一対の前方車輪27を有している。
【００１５】
支柱部材２は、下端に車輪29と、ケーシング５の下端側に設けられた案内部によって前後方向に水平移動可能にガイドされるスライド部28と、を有している。
また、スライド部28に、後方ベッド体１Ｂの裏面19に上端が枢着されたガススプリング20の下端が枢着されている。支柱部材２及びガススプリング20は、後方にスライドさせることでケーシング５内部に収納され、前方にスライドさせることでケーシング５から引き出される。
【００１６】
図１及び図２に示すように、ケーシング５内部に支柱部材２が収容されている状態において、ベッド本体１は、折畳み状態のベッド本体１の後方ベッド体１Ｂが、ミスト発生器３の前方側に配設されると共に、折畳み状態のベッド本体１の前方ベッド体１Ａがケーシング５の前方開口部51を施蓋するように配設される。
【００１７】
また、図６乃至図11に於て、水平展開状態のベッド本体１の上方及び左右側方を被覆状とするカバー部材62と、カバー部材62が取着されると共に短縮状態でケーシング５に収納される左右一対の伸縮自在な釣竿状のガイド用骨組部材61と、骨組部材61を側面視山型状（円弧状）に引き出す伸縮自在な左右一対の支持部材63と、を備えている。左右一対の支持部材63は上端が左右方向の横杆64にて連結されると共に骨組部材61の先端60側に連結されている。また、支持部材63の下端は、水平状の揺動軸心Ｌ３廻り（前後方向）に揺動自在に前方ベッド体１Ａに枢着されている。なお、本発明に於て、「前方」とは、ベッド本体１を水平展開するために引き出す矢印Ｆの方向を言う。
【００１８】
骨組部材61は、図14に示すように、内径の異なる複数の管状体61ａ，61ｂ，61ｃ，61ｄを有し、内径の大きなものに内径の小さなものを順次内装した伸縮自在な釣り竿状構造を有している。骨組部材61は、可撓性を有し、ガラスファイバーやカーボンファイバー等の高強度高弾性繊維をもって構成される。図14（ａ）の短縮状態から、図14（ｂ），図14（ｃ）に順次示すように、内装されている管状体61ｂ，61ｃ，61ｄを順次引き出して伸長状態となる。また、可撓性を有するので側面視山型状（円弧状）に湾曲可能である。また、図11に示すように、骨組部材61は、カバー部材62に形成された垂れ幕部62ａを挿通している。カバー部材62は、骨組部材61をカーテンレールのようなガイド部材として、蛇腹状からスライドさせ側面視山型状に展開自在に骨組部材61に取着されている。
【００１９】
また、ベッド本体１は、図９乃至図12に示すように、上方開口部11ａを有する平板船状の殻体（浅皿状の箱体）11と、上方開口部11ａに設けられてミスト発生器３から吐出されるミストＭが透過自在な床部材10と、を備えている。床部材10の裏面10ｂ側には、床部材10と殻体11に囲まれた偏平空間12が形成されている。
【００２０】
床部材10は、表て面10ａ側と裏面10ｂ側を連通する多数の貫通部を有するのであり、例えば、繊維質（製）の網（メッシュ）状、格子状、簀子状、多数の貫孔（パンチング孔）を有する板状部材、等に形成されている。また、床部材10に載置される横臥状態の使用者の頭部側を起こすリクライニングシート式の背もたれ部10ｃを有している（図10参照）。また、ベッド本体１に、面状ファスナーの雌雄片91，92の一方を設け、カバー部材62に他方を設けて、展開状態のカバー部材62をベッド本体１に取着可能とするのが望ましい。なお、図５及び図７に示した床部材10に於て貫通部は図示省略している。
【００２１】
ミスト発生器３は、水平展開状態のベッド本体１と展開状態のカバー部材62に囲まれた包囲空間Ｋに、水平展開状態のベッド本体１の後端近傍から前方に向かってミストを吐出するものである。ミスト発生器３は、ミストＭを包囲空間Ｋ内へ斜上前方に向かって吐出する左右一対の第１噴霧口31と、ミストＭを偏平空間12内へ前方略水平方向に向かって吐出する左右一対の第２噴霧口32，32と、ベット本体１の後端近傍から包囲空間Ｋ内のミストＭや気体を吸い込む吸気口と、を備えている。なお、ミスト発生器３は、１μｍ未満の超微細水から成るミストＭ、つまり、ナノミストを噴霧するものが望ましい。また、ミストＭにより包囲空間Ｋ及び偏平空間12を38℃〜45℃に加熱（保温）可能なものが好ましい。また、ミストＭと共にイオンを吐出可能なものが好ましい。
【００２２】
また、図９及び図11に於て、偏平空間12内には、第２噴霧口32から吐出するミストＭが床部材10を透過して包囲空間Ｋへ流れるのを防止するように、床部材10の裏面10ｂを覆う遮断膜７を設けている。
【００２３】
遮断膜７の前方端側は、床部材10の前端側に取着している。遮断膜７の後方端縁部７ｂは床部材10の裏面10ｂと第２噴霧口32の間に配設されると共に第２噴霧口32の口先端32ｃより後方に配設されている。遮断膜７の後方端縁部７ｂの左右端近傍には、図示省略のワイヤー、チューブ、紐等の可撓性部材又は棒状部材といった膜操作部材が取着されている。
【００２４】
遮断膜７は、図13（ａ）に示すように、第２噴霧口32から吐出するミストＭが、包囲空間Ｋへ流れるのを防止している状態から、膜操作部材が遮断膜７の後方端縁部７ｂを下方へ引っ張るように操作されると、図13（ｂ）に示すように、遮断膜７の後方端縁部７ｂが第２噴霧口32を乗り越えて、図13（ｃ）に示すように、第２噴霧口32の下面32ｂ側に配設されるように設けている。なお、遮断膜７の後端縁部７ｂが膜操作部材によって上下移動が可能な範囲で遮断膜７の左右側縁部を床部材10の左右側縁部に取着しても良い。
【００２５】
また、ケーシング５は、折畳み状態のベッド本体１の後方ベッド体１Ｂと、後方にスライドされた支柱部材２及びガススプリング20と、ミスト発生器３と、短縮状態の骨組部材61と、骨組部材61に取着された非展開状態のカバー部材62（図１乃至図５に於ては、図示省略している）と、を収容可能な収納空間50を有している。また、背面に突設された持手部58と、下端に設けられた車輪59と、を有している。また、図５に於て、ケーシシング５内に仕切壁部56を設け、仕切壁部56に包囲空間Ｋ内の使用者が目視可能な表示器（モニタ）９を設けている。表示器９は、ミスト発生器３の設定内容、使用者の血圧や脈拍、包囲空間Ｋ内の温度、加熱を行っている作動時間、映画やＴＶ番組等を表示するものである。
【００２６】
次に、第１実施形態の作用（使用方法）について説明する。
図１及び図２に示した収納状態において、操作者が、持ち手部58を把持して手押又は手引きすることでケーシング５の車輪59が回転し、ミスト発生器３とベッド本体１とカバー部材62（図１に於ては図示省略）と骨組部材61とがコンパクトに一体状（一つの塊状）となって所望の位置まで移動される。なお、使用者が、身体弱者、要介護者や要支援者の場合は、操作者とは、使用者と異なる者であり、使用者の家族、介護士、看護士、医師等である。
【００２７】
図３に示すように、取手16を引くと折畳み状態のベッド本体１の前方ベッド体１Ａが前方に引き出される。支柱部材２が引き出され、ガススプリング20が後方ベッド体１Ｂを押して水平軸心Ｌ１廻りに揺動させ水平状とする。また、前方ベッド体１Ａが枢着軸心Ｌ２廻りに揺動する。
図４及び図５に示すように、ベッド本体１が水平展開状態となる。水平展開状態の前方ベッド体１Ａは脚部材17によって支持される。後方ベッド体１Ｂは支柱部材２によって支持される。なお、脚部材17を折畳み状態のままとし、前方ベッド体１Ａを、既設のベッドに載置するようにしてベッド本体１を水平展開しても良い。図５に於て支持部材63は図示省略している。
図６及び図７に示すように、支持部材63を揺動させると、骨組部材61と共にカバー部材62がケーシング５内から引き出される。
【００２８】
図８と図９及び図11に示すように、カバー部材62は、床部材10の上方及び左右側方と、前方とを幌のように被覆状に包囲する。カバー部材62とベッド本体１（床部材10）に囲まれた包囲空間Ｋを形成する。遮断膜７は、床部材10の裏面10ｂを覆う。
図９及び図11に於て、ミスト発生器３を始動させ、先ず、第２噴霧口32からのミストＭが偏平空間12に流れる。遮断膜７は、包囲空間Ｋと偏平空間12との間をミストＭが床部材10を透過して流れるのを防止する。
つまり、偏平空間12内の予備加熱が行われ、床部材10が温められる。予め加熱（保温）された床部材10に使用者が触れることで、即座に全身が温められ、使用者に寒い思いや、部材が肌に触れて冷たさを感じることが軽減される。
【００２９】
そして、床部材10に使用者が横臥状態となった後に、膜操作部材が操作されると、図13（ａ）、図13（ｂ）、図13（ｃ）と順次示すように、遮断膜７の後方端縁部７ｂは、第２噴霧口32の上面32ａ側から口先端32ｃを乗り越えて、下面32ｂ側に配設される。
また、第１噴霧口31からミストＭを吐出させる。
遮断膜７を、図10及び図12に示すように、床部材10の裏面10ｂ側から分離降下して、殻体11の底面11ｂに退避させた本加熱状態となる。
第２噴霧口32からのミストＭが偏平空間12から床部材10を介して包囲空間Ｋへ流れる。第１噴霧口31からのミストＭを上方（仰向けの使用者の正面側）から浴びさせると共に、第２噴霧口32からのミストＭを下方（背面側）から受けさせる本加熱が行われる。
【００３０】
使用者をミストＭで包囲し、全身を温めて血行を良くし、発汗作用を促して新陳代謝を促進させる。また、全身がムラなく体の芯から温められ、湯冷めのように急激に身体が冷えることが軽減されると共に、シャワーや浴槽のように水圧がかからないため、身体（心臓や肌）への負担が少なく疲れない。つまり、身体弱者や要介護者や要支援者等の身体の洗浄にも好適である。シャワー等に比べて水しぶき等の発生がなく、また、浴槽や貯水タンクも必要ないため軽量である。
特に、ナノミストを噴霧した場合、包囲空間Ｋ内の使用者は、髪等が濡れることがなく、使用後も汗を拭き取るだけで良くなる。また、使用後も保温、保湿効果が持続し美容効果も得られる。また、全身が温まりやすく冷めにくいといった効果も得られる。
【００３１】
また、背もたれ部10ｃが使用者の所望の傾斜角度に調節されることで、リラックスしてミストＭを浴びることができる。また、ベッド本体１の上方で、左右の骨組部材61，61を左右方向に連結するような横骨部材を省略することで、包囲空間Ｋの上方で結露の発生が防止され使用者に水滴が落ちるのを防止すると共に、使用者に狭小感や圧迫感を与えるのを防止する。また、前方ベッド体１Ａを後方ベッド体１Ｂより長く設けることで、ケーシング５を小型にし、前方ベッド体１Ａをケーシング５の施蓋部材に共用して、図１に示す如く、コンパクトな収納（折畳み）状態にできる。
【００３２】
次に第２の実施形態について説明する。
図15及び図16に示すように、ベッド本体１は、逆Ｖ字状に折畳み自在なベッド本体１を備えている。また、支柱部材２を前方に引出し自在に収納すると共にミスト発生器３が内蔵される上方開口状のケーシング本体５Ａと、上下方向に揺動してケーシング本体５Ａの前方開口部51を施蓋するケーシング蓋体５Ｂと、から成るケーシング５を備えている。
【００３３】
また、ケーシング蓋体５Ｂには、短縮状態の骨組部材61と、骨組部材61にスライド自在に取着されたカバー部材62と、が設けられている。ケーシング蓋体５Ｂが上方に揺動した展開状態で、骨組部材61とカバー部材62がケーシング蓋体５Ｂから引き出され、カバー部材62はベッド本体１の上方及び左右側方を被覆状として側面視前方下傾状に展開する。また、カバー部材62は、骨組部材61の先端から垂設され前方側を覆う垂れ幕部62ａを着脱自在に有している。また、前方ベッド体１Ａは、水平展開状態で前方側となる端部に、引出し用の車輪15を有している。
【００３４】
図15に示すように、ケーシング本体５Ａ内部に支柱部材２が収容されると共に、ケーシング蓋体５Ｂがケーシング本体５Ａを施蓋した状態において、逆Ｖ字状に折畳み状態のベッド本体１と、ミスト発生器３と、図15においては図示省略の短縮状態の骨組部材61及び骨組部材61に取着されている非展開状態のカバー部材62と、がケーシング５内部の収納空間50に収納され、コンパクトな一つの塊状となって移動が容易な形状となる。また、ベッド本体１が逆Ｖ字状に折畳まれると共に、前方ベッド体１Ａを（第１実施形態のように）施蓋状に配設しないので、前方ベッド体１Ａと後方ベッド体１Ｂの折畳み高さ寸法を同等にでき、第１実施形態に比べて、収納状態の全高寸法Ｈを低くできる。
【００３５】
また、図16に示すように、使用者が、顔にミストＭが当たるのを望まない場合は、二点鎖線で示すようにケーシング蓋体５Ｂを使用者に接近させるように下傾させ、骨組部材61の長さを調節して、カバー部材62に設けたファスナー部を開口して、使用者の顔が、包囲空間Ｋから露出可能としている。なお、ベッド本体１の上方でケーシング蓋体５Ｂが配設される場所において、カバー部材62を省略しても良い。つまり、ベッド本体１の上方をカバー部材62とケーシング蓋体５Ｂで覆うようにしても良い。なお、カバー部材62は、膜状が好ましいが、透明又は半透明の板状とするも良い。
【００３６】
また、第１噴霧口31からのミストＭの内、上方へ向かって吐出されてしまうミストＭを包囲空間Ｋ内に誘導し、又は、上方へ向かうミストＭを下方へ反射させ、身体に効率良く浴びせるための、勾配部55をケーシング本体５Ａ内の上部に設けている。
【００３７】
また、図17に示す第２実施形態の変形例のように、ケーシシング本体５Ａ内に仕切壁部56を設け、仕切壁部56に包囲空間Ｋ内の使用者が目視可能な表示器（モニタ）９を設けても良い。
また、図18に示す第２実施形態の他の変形例は、ケーシング本体５Ａに、骨組部材61を設け、骨組部材61に取着したカバー部材62を、水平展開状態のベッド本体１の上方及び左右側方を被覆状として側面視山型状に展開するものである。第１実施形態のような幌を形成する。そして、使用者が、顔にミストＭが当たるのを望まない場合は、骨組部材61の長さとカバー部材62の展開とを調整して、骨組部材61の先端から垂設されると共にカバー部材62に着脱自在に設けられた二点鎖線で示す垂れ幕部62ａの顔出し用のファスナー部を開口し、使用者の顔が包囲空間Ｋの外部に露出可能としている。
【００３８】
なお、本発明は設計変更可能であって、第１実施形態のカバー部材62に顔出し用のファスナー部を設けても良い。また、殻体11は、ＦＲＰ又は積層合板、もしくは、アルミ等のフレーム枠体にパネルを取着した構造体で形成するのが望ましい。また、アルミ製の２〜５mmの薄板等で板金や溶接して形成しても良い。また、ケーシング５に、操作者が目視可能な外部モニタを設けるのが望ましい。
また、図１及び図２の二点鎖線や図18に示すような持手部58を左右一対に設けても良い。また、図18に二点鎖線で示すように、ケーシング５の背面にミスト発生器３をケーシング５内に出入れするためのハネ上げ式等の収納扉を第１実施形態に設けても良い。
【００３９】
以上のように、本発明の新陳代謝促進ベッドは、相互に折畳み自在な前方ベッド体１Ａと後方ベッド体１Ｂとを有するベッド本体１と、水平展開状態のベッド本体１の上方及び左右側方を被覆状として側面視山型状に展開するカバー部材62と、水平展開状態のベッド本体１とカバー部材62に囲まれた包囲空間Ｋにベッド本体１の後端近傍から前方に向かってミストＭを吐出するミスト発生器３と、後方ベッド体１Ｂを水平軸心Ｌ１廻りに揺動自在に支持する支柱部材２と、支柱部材２を前方に引出し自在に収納すると共に非展開状態のカバー部材62を収容可能な収納空間50を有する前方開口状のケーシング５と、を備え、ケーシング５に支柱部材２が収納された状態において、折畳み状態のベッド本体１の後方ベッド体１Ｂが収納空間50に収容されると共に折畳み状態のベッド本体１の前方ベッド体１Ａがケーシング５の前方開口部51を施蓋するように構成したので、ベッド本体１が折畳め、コンパクトな形状にすることができる。小スペースに保管することができる。大量の温水が必要なく、また、水しぶきが発生しないので、設置場所が限定されずに使用できる。ミストＭによって使用者の新陳代謝を促進できる。シャワーや浴槽に比べて身体に水圧がかからず、使用者の身体的負担やストレスが軽減できる。特に、身体弱者、要介護者や要支援者の新陳代謝を促進及び洗浄するのに好適である。
【００４０】
また、相互に折畳み自在な前方ベッド体１Ａと後方ベッド体１Ｂとを有するベッド本体１と、水平展開状態のベッド本体１の上方及び左右側方を被覆状として側面視前方下傾状又は側面視山型状に展開するカバー部材62と、水平展開状態のベッド本体１とカバー部材62に囲まれた包囲空間Ｋにベッド本体１の後端近傍から前方に向かってミストＭを吐出するミスト発生器３と、後方ベッド体１Ｂを水平軸心Ｌ１廻りに揺動自在に支持する支柱部材２と、支柱部材２を前方に引出し自在に収納する前方開口状のケーシング本体５Ａ及び上下方向に揺動してケーシング本体５Ａを施蓋可能なケーシング蓋体５Ｂから成るケーシング５と、を備え、ケーシング本体５Ａに支柱部材２が収納されると共にケーシング蓋体５Ｂがケーシング本体５Ａを施蓋した状態において、折畳み状態の前方ベッド体１Ａ及び後方ベッド体１Ｂと、非展開状態のカバー部材62とが、ケーシング５の内部に収容されるように構成したので、ベッド本体１が折畳め、コンパクトな形状にすることができる。小スペースに保管することができる。ミストＭによって使用者の新陳代謝を促進できる。大量の温水が必要なく、また、水しぶきが発生しないので、設置場所が限定されずに使用できる。シャワーや浴槽に比べて身体に水圧がかからず、使用者の身体的負担やストレスが軽減できる。特に、身体弱者、要介護者や要支援者の新陳代謝を促進及び洗浄するのに好適である。
【００４１】
また、カバー部材62を、複数の管状体61ａ，61ｂ，61ｃを有する伸縮自在な釣竿状の左右一対のガイド用骨組部材61，61に、スライド自在に取着したので、カバー部材62を容易に展開できる。また、カバー部材62を側面視山型又は側面視前方下傾状といた展開状態に容易にできる。骨組部材61をケーシング５内にコンパクトに収納できる。
【００４２】
また、ベッド本体１は、上方開口部11ａを有する平底船状の殻体11と、上方開口部11ａに設けられてミストＭが透過自在な床部材10と、を備え、床部材10の裏面10ｂ側には、偏平空間12が形成され、ベッド本体１の水平展開状態において、ミストＭを包囲空間Ｋ内へ斜上前方に向かって吐出する第１噴霧口31と、ミストＭを偏平空間12内へ前方略水平方向に向かって吐出する第２噴霧口32と、を設けたので、使用者の正面側と背面側の両側から身体全体にムラなく隅々までミストＭで包囲でき、保温・保湿・洗浄・発汗効果を高めて、新陳代謝をより促進できる。各噴霧口31，32から噴出されたミストＭを直接的に身体に吹き付ける場合に比べて、肌に優しく局部的な暑さを感じさせずに身体全体を略均一に温めることができる。
【００４３】
また、第２噴霧口32からのミストＭが床部材10を透過して包囲空間Ｋへ流れるのを防止する遮断膜７を設けて予備加熱を行うように構成すると共に、遮断膜７を床部材10の裏面10ｂ側から分離下降させて殻体11の底面11ｂ側へ退避させ第２噴霧口32からのミストＭを床部材10を透過して包囲空間Ｋへ流入させて本加熱を行うように構成したので、予め加熱（保温）された床部材10（ベッド本体１）に使用者が触れる（横になる）ことで、即座に全身が温められ、使用者に寒い思いや、部材に肌が触れて冷たさを感じることを軽減できる。迅速かつ容易に本加熱を行うことができる。
【符号の説明】
【００４４】
１  ベッド本体
１Ａ  前方ベッド体
１Ｂ  後方ベッド体
２  支柱部材
３  ミスト発生器
５  ケーシング
７  遮断膜
10  床部材
10ｂ  裏面  
11  殻体
11ａ  上方開口部
11ｂ  底面
12  偏平空間
31  第１噴霧口
32  第２噴霧口
50  収納空間
51  前方開口部
61  骨組部材
61ａ  管状体
61ｂ  管状体
61ｃ  管状体
62  カバー部材
Ｋ  包囲空間
Ｌ１  水平軸心
Ｍ  ミスト
【図１】
2011218009.tif 000003
【図２】
2011218009.tif 000004
【図３】
2011218009.tif 000005
【図４】
2011218009.tif 000006
【図５】
2011218009.tif 000007
【図６】
2011218009.tif 000008
【図７】
2011218009.tif 000009
【図８】
2011218009.tif 000010
【図９】
2011218009.tif 000011
【図１０】
2011218009.tif 000012
【図１１】
2011218009.tif 000013
【図１２】
2011218009.tif 000014
【図１３】
2011218009.tif 000015
【図１４】
2011218009.tif 000016
【図１５】
2011218009.tif 000017
【図１６】
2011218009.tif 000018
【図１７】
2011218009.tif 000019
【図１８】
2011218009.tif 000020